(57)【要約】      （修正有）【課題】家庭の台所シンクや水槽に簡単に取り付出来る構造を有した超音波洗浄装置及び超音波洗浄槽を提供する。【解決手段】底部に排水口９２を有する水槽９に設置することができる超音波洗浄装置１であって、前記排水口に挿し込まれている使用状態において、前記水槽内の水の前記排水口の周縁を経由する漏れを塞ぐことができる接続手段２と、前記接続手段に取り付けられている超音波発振手段４とを備えて超音波洗浄装置を構成する。【選択図】図２
0003157154.tif 000002
【実用新案登録請求の範囲】
【請求項１】
底部に排水口を有する水槽に設置することができる超音波洗浄装置であって、
前記排水口に挿し込まれている使用状態において、前記水槽内の水が前記排水口の周縁を経由して漏れないように排水溝を塞ぐことができる接続手段と、
前記接続手段に取り付けられている超音波発振手段とを備えていることを特徴とする超音波洗浄装置。
【請求項２】
前記接続手段は、第１と第２の端部を有する両端開口の管状体であり、前記第１の端部は前記排水口に挿し込むことができるように形成され、前記第２の端部には、その内壁面から外壁面まで貫通する第１の排水孔が少なくとも１つ形成されており、
更に、前記第２の端部を回動可能に挿し込むことができる外管体を備え、該外管体にはその内壁面から外壁面まで貫通する少なくとも１つの第２の排水孔が、前記外管体の前記第２の端部に対する回動により、前記第１の排水孔と連通したり、連通しなかったりすることができるように配置形成されており、
また、前記超音波発振手段は、前記外管体を振動させることができるように前記外管体に取り付けられていることを特徴とする請求項１の超音波洗浄装置。
【請求項３】
前記外管体には、その内壁面から外壁面まで貫通する少なくとも１つの第３の排水孔が、前記接続手段が前記排水口に挿し込まれている使用状態において、前記水槽が満水になる前に該水槽内の水が前記外管体の内側に入り、該外管体の案内により前記排水口から排水することができる位置に配置形成されていることを特徴とする請求項２の超音波洗浄装置。
【請求項４】
前記第３の排水孔は、前記外管体の延伸方向に沿って複数設けられており、
更に、前記複数の第３の排水孔を選択的に封止でき、且つ取外し可能なキャップを備えていることを特徴とする請求項３の超音波洗浄装置。
【請求項５】
前記超音波発振手段は、前記外管体に挿し込むことにより取り付けられる略柱状のケースを有し、該ケースには前記水槽内からいずれかの前記第３の排水孔を経由して前記外管体の内側に進入した水を前記排水口の方へ案内することができる案内溝が形成されていることを特徴とする請求項４の超音波洗浄装置。
【請求項６】
前記接続手段は、前記第１と第２の端部の間から、外側に張り出すように形成されているフランジを更に有し、該フランジは、前記接続手段が前記排水口に挿し込まれると、前記水槽の底部が有する前記排水口の周縁近くと密接して、該水槽内の水が前記排水口の周縁を経由して漏れないように前記排水口を塞ぎ、前記第３の排水孔と、前記案内溝と、前記第２の排水孔と、前記第１の排水孔とからなる流路を生かすことができることを特徴とする請求項５の超音波洗浄装置。
【請求項７】
前記フランジには、前記第２の端部の方に向けて突起している第１と第２の制限突起が形成され、前記外管体の外表面に、前記外管体の前記接続手段に対する回動に従って、前記第１と第２の制限突起に選択的に当接することができる第３の制限突起が設けられ、更に、前記第１〜第３の制限突起は、前記第３の制限突起が前記第１の制限突起に当接すると、前記第２の排水孔が前記第１の排水孔と連通し、前記第３の制限突起が前記第２の制限突起に当接すると、前記第２の排水孔が前記第１の排水孔と連通しないように配置構成されていることを特徴とする請求項６の超音波洗浄装置。
【請求項８】
前記超音波発振手段は、前記外管体に固定されており、
更に、前記超音波発振手段に電力を提供する電源手段と、
前記超音波発振手段のＯＮ／ＯＦＦを制御する作動スイッチと、
前記超音波発振手段の連続発振時間を制御するタイマースイッチとを備えていることを特徴とする請求項２の超音波洗浄装置。
【請求項９】
前記請求項１から請求項８までのいずれか一項に記載の超音波洗浄装置と、
底部に、前記超音波洗浄装置の接続手段を挿し込むと、その内周壁と前記接続手段との間を経由する排水が止められる排水口を有する水槽と、を備えている超音波洗浄槽。
【考案の詳細な説明】
【技術分野】
【０００１】
本考案は超音波洗浄装置及び超音波洗浄槽に関し、特に、家庭の洗面器やシンクなどに使用される超音波洗浄装置、及び、それ自体にも洗浄用の水槽がついている超音波洗浄槽に関する。
【背景技術】
【０００２】
超音波洗浄槽とは、水槽内の水に超音波で発生させた微細な泡の破裂により、物体表面の汚物を物体から剥離させてから浮き上がらせる仕組みを用いる洗浄槽であり、工業的に使われるだけでなく、小物などの洗浄にも適するため、医療機関用、実験室用、家庭用、台所用の超音波洗浄槽も広範に販売されていて、容易に入手できるようになっている。
しかし、従来の超音波洗浄槽は、それ自体に水槽がついているので、占めるスペースが広くて収納に不便である。
【考案の概要】
【考案が解決しようとする課題】
【０００３】
上記問題点に鑑みて、本考案は台所のシンクや他の家庭用の水槽に簡単に取り付けられて、前記シンクや水槽と共に超音波洗浄槽として使用される超音波洗浄装置の提供を目的とする。
また、本考案は、それ自体に洗浄用水槽や他の容器がついている超音波洗浄槽の提供をも目的とする。
【課題を解決するための手段】
【０００４】
上記目的を達成すべく、本考案は、底部に排水口を有する水槽に設置することができる超音波洗浄装置であって、前記排水口に挿し込まれている使用状態において、前記水槽内の水が該排水口の周縁を経由して漏れないように該排水口を塞ぐことができる接続手段と、前記接続手段に取り付けられている超音波発振手段とを備えていることを特徴とする超音波洗浄装置を提供する。
【０００５】
上記超音波洗浄装置において、前記接続手段は、第１と第２の端部を有する両端開口の管状体であり、前記第１の端部は前記排水口に挿し込むことができるように形成され、前記第２の端部には、その内壁面から外壁面まで貫通する第１の排水孔が少なくとも１つ形成されており、更に、前記前記第２の端部を回動可能に挿し込むことができる外管体を備え、該外管体にはその内壁面から外壁面まで貫通する少なくとも１つの第２の排水孔が、前記外管体の前記第２の端部に対する回動により、前記第１の排水孔と連通したり、連通しなかったりすることができるように配置形成されており、また、前記超音波発振手段は、前記外管体を振動させることができるように前記外管体に取り付けられていることが好ましい。
【０００６】
上記超音波洗浄装置において、前記外管体には、その内壁面から外壁面まで貫通する少なくとも１つの第３の排水孔が、前記接続手段が前記排水口に挿し込まれている使用状態において、前記水槽が満水になる前に該水槽内の水が前記外管体の内側に入り、該外管体の案内により前記排水口から排水することができる位置に配置形成されていることが好ましい。
【０００７】
上記超音波洗浄装置において、前記第３の排水孔は、前記外管体の延伸方向に沿って複数設けられており、更に、前記複数の第３の排水孔を選択的に封止でき、且つ取外し可能なキャップを具えていることが好ましい。
【０００８】
前記超音波発振手段は、前記外管体に挿し込むことにより取り付けられる略柱状のケースを有し、該ケースには前記水槽内からいずれかの前記第３の排水孔を経由して前記外管体の内側に進入した水を前記排水口の方へ案内することができる案内溝が形成されていることが好ましい。
【０００９】
前記接続手段は、前記第１と第２の端部の間から、外側に張り出すように形成されているフランジを更に有し、該フランジは、前記接続手段が前記排水口に挿し込まれると、前記水槽の底部が有する前記排水口の周縁近くと密接して、該水槽内の水が前記排水口の周縁を経由して漏れないように排水口を塞ぎ、前記第３の排水孔と、前記案内溝と、前記第２の排水孔と、前記第１の排水孔とからなる流路を生かすことができることが好ましい。
【００１０】
前記フランジには、前記第２の端部の方に向けて突起している第１と第２の制限突起が形成され、前記外管体の外表面に、前記外管体の前記接続手段に対する回動に従って、前記第１と第２の制限突起に選択的に当接することができる第３の制限突起が設けられ、更に、前記第１〜第３の制限突起は、前記第３の制限突起が前記第１の制限突起に当接すると、前記第２の排水孔が前記第１の排水孔と連通し、前記第３の制限突起が前記第２の制限突起に当接すると、前記第２の排水孔が前記第１の排水孔と連通しないように配置構成されていることが好ましい。
【００１１】
前記超音波発振手段は、前記外管体に固定されており、更に、前記超音波発振手段に電力を提供する電源手段と、前記超音波発振手段のＯＮ／ＯＦＦを制御する作動スイッチと、前記超音波発振手段の連続発振時間を制御するタイマースイッチとを備えることができる。
【００１２】
更に、本考案は、前記超音波洗浄装置と、底部に、前記超音波洗浄装置の接続手段を挿し込むと、その内周壁と前記接続手段との間を経由する排水が止められる排水口を有する水槽と、を備えている超音波洗浄槽をも提供する。
【考案の効果】
【００１３】
上記構成により、本考案の超音波洗浄装置は、専用の水槽を必要とせず、家庭の洗面器やシンクなどの排水口に自由に挿しこんで使用することが出来るので、一つを基に多用できる上、専用の水槽がないため収納にとても便利であり、家庭での使用に特に適用できる。
【００１４】
また、本考案の超音波洗浄槽は、それ自体に専用水槽がついているので、医療機関、実験室、営業場所での使用に特に適用でき、小型である場合、家庭の洗面器やシンクにおいてそれらの本来の機能と両立して使用出来る。
【図面の簡単な説明】
【００１５】
【図１】本考案の超音波洗浄装置の使用状態が示されている斜視図である。
【図２】本考案の超音波洗浄装置の構成が示されている分解図である。
【図３】本考案の超音波洗浄装置における制限突起及び、第１、第２の排水の関係が示されている横断面図である（排水可能状態）。
【図４】本考案の超音波洗浄装置における制限突起及び、第１、第２の排水の関係が示されている横断面図である（排水不可能状態）。
【図５】本考案の超音波洗浄槽の使用状態が示されている一部を裁断した斜視図である。
【図６】本考案の超音波洗浄槽の構成が示されている分解図である。
【図７】本考案の超音波洗浄槽の底部の構成が示されている説明図である。
【考案を実施するための形態】
【００１６】
以下は図面を参照しながら、本考案の好ましい各実施形態について説明する。
【００１７】
図１、図２は本考案の超音波洗浄装置の使用状態及び構成が示されている斜視図と分解図である。
【００１８】
図１に示されているように、本考案の超音波洗浄装置１は、底部９１を水槽９の排水口９２に挿し込んだ使用状態において、水槽９内の水が排水口９２の周縁を経由して漏れないように排水溝９２を塞ぐことができる接続手段２と、接続手段２に取り付けられている超音波発振手段４とを備えているものである。
【００１９】
接続手段２は、図２に示されているように、第１の端部２１と、第２の端部２３と、第１と第２の端部２１、２３の間から外側に張り出すように形成されているフランジ２２とを有する両端開口の管状体である。第１の端部２１は水槽９の排水口９２に挿し込むことが出来る。また、図示のように、管状体である接続手段２は、第１の端部２１が排水口９２に挿し込まれると、その延伸方向が水槽９の底部９１と直交し、且つ、水槽９の底部９１から立ち上がることができるように形成されており、その第２の端部２３には、その内壁面から外壁面まで貫通する第１の排水孔２３１が複数あって排水口９２の口縁に沿って一周するように形成されている。
【００２０】
更に、接続手段２の第２の端部２３には、該第２の端部２３を回動可能に挿し込むことができる外管体３が備えられており、該外管体３の、図２に示されている下端近くには、その内壁面から外壁面まで貫通する複数の第２の排水孔３１が、この外管体３の、第２の端部２３に対する回動に従って、第１の排水孔２３１と連通したり、連通しなかったりすることができるように配置形成されている。また、外管体３の、図２に示されている上端近くには、その内壁面から外壁面まで貫通する複数（少なくとも１つが必要であるが、この実施例では二つある）の第３の排水孔３２が外管体３の延伸方向に沿って設けられている。この複数の第３の排水孔３２は、接続手段２が排水口９２に挿し込まれた使用状態において、いずれも、水槽９が満水になる前に該水槽内の水が外管体３内に入り、該外管体３の案内により排水口９２から排水することができる位置に配置されている。
【００２１】
なお、水槽９における水のレベルをコントロールするため、本実施例の超音波洗浄装置１は、更に、該複数の第３の排水孔３２を選択的に封止でき、且つ取外し可能なキャップ６を具えている。
【００２２】
そして、超音波発振手段４は、前記外管体３に取り付けられていて外管体３を振動させるものである。図示のように、この実施例の超音波発振手段４は、略柱状のケース４１を有し、この略柱状のケース４１は、外管体３に挿し込まれている上、その表面に、いずれかの第３の排水孔３２を経由して水槽９内から外管体３内に進入した水を排水口９２の方へ案内することができる案内溝４１２が形成されている。
【００２３】
また、超音波発振手段４のケース４１には、雄ねじ４１３が形成され、外管体３の上端縁の内側には雄ねじ４１３に対応する雌ねじ３５が形成されており、超音波発振手段４のケース４１は、雄ねじ４１３を雌ねじ３５にねじ込むことによって、外管体３に固定される。
【００２４】
更に、本考案の超音波洗浄装置１には、超音波発振手段４に電力を提供する電源手段４３と、超音波発振手段４のＯＮ／ＯＦＦを制御する作動スイッチ４２とを備えており、作動スイッチ４２には超音波発振手段４の連続発振時間を制御するタイマー機能をも有することが好ましい。
【００２５】
接続手段２が有するフランジ２２は、接続手段２が排水口に９２挿し込まれると、水槽９の底部９１が有する排水口９２の周縁近くと密接し、該水槽９内の水が排水口９２の周縁を経由して漏れないように排水口９２を塞ぐことによって、第３の排水孔３２と、案内溝４１２と、第２の排水孔３１と、第１の排水孔２３１などにより形成される流路を生かすことができる。
【００２６】
更に、図３、図４に示されるように、フランジ２２には、第２の端部２３の方に向けて突起している第１の制限突起７２と第２の制限突起７３が形成され、外管体３の外表面に、外管体３の接続手段２に対する回動によって、第１と第２の制限突起７２、７３と選択的に当接することができる第３の制限突起７１が設けられている。この第１〜第３の制限突起７１〜７３の配置関係は、図３に示されているように、第３の制限突起７１が第１の制限突起７２に当接すると、第２の排水孔３１が第１の排水孔２３１と連通し、そして図４に示されているように、外管体３の接続手段２に対する回動によって、第３の制限突起７１が第２の制限突起７３に当接すると、第２の排水孔３１が第１の排水孔２３１と連通しないように配置構成されている。
【００２７】
上記本考案の超音波洗浄装置１の使用方法は２通りある。
【００２８】
第１の使用方法は、超音波洗浄装置１を家庭用の水槽９の排水口９２に設置し、該水槽９内に水（または超音波を伝導できる他の液体）及び洗浄したい物品を入れた後、第２の排水孔３１が第１の排水孔２３１と連通しない状態で超音波発振手段４を所定時間作動させた後、洗浄したい物品を取り出して排水する方法である。この方法では使われる水を簡単に制御することができるので、水を節約することができる。
【００２９】
第２の使用方法は、超音波洗浄装置１を家庭用の水槽９の排水口９２に設置し、該水槽９内に洗浄したい物品を入れた後、第２の排水孔３１が第１の排水孔２３１と連通する状態で、水（または超音波を伝導できる他の液体）を水槽９内に注入し続けながら、超音波発振手段４を所定時間作動させた後、水の注入を止めて洗浄したい物品を取り出す方法である。この場合、水の水位が第３の排水孔３２に達すると、排水孔３２より高い位置にある水は排水孔３２内に流れ込んで、案内溝４１２の案内により排水される。この方法では洗浄中の汚水を持続的に排水するので、洗浄の効率／効果を高めることができる。
【００３０】
図５〜７に本考案の超音波洗浄槽の使用状態及び構成が示されており、図示のように、該超音波洗浄槽が有する超音波洗浄装置の構成は既に説明したので、重複する箇所は説明を省略する。本考案の超音波洗浄槽は、上記超音波洗浄装置１と、底部８１に超音波洗浄装置１の接続手段２が挿し込まれると、内周壁と接続手段２との間を経由する排水が止められる排水口８２を有する水槽８と、を備えている。
【００３１】
水槽８の底部８１の下面には、複数の脚手段８３と、排水口８２より漏れ出す水を案内するフェンス８４とが配置構成されており、脚手段８３は雄ねじ８５により底部８１にねじ込まれている。この構成により、脚手段８３の高さ、即ち、その上端と底部８１との距離が調整可能となり、水槽８を設置する時のバランスを調整することができる。
【００３２】
また、図示のように、この実施例の超音波洗浄槽は、その水槽８、乃至、その全体が、家庭で通常に使用される洗面器やシンクより小さい小型のものであるので、洗面器やシンクの中に入れて使用することができる。
【産業上の利用可能性】
【００３３】
上記構成により、本考案の超音波洗浄装置は、専用の水槽を必要とせず、家庭の洗面器やシンクなどの排水口に自由に挿しこんで使用することが出来るので、一つを基に多用でき、また、専用の水槽がないので収納にとても便利であり、家庭での使用に特に適用できる。
【００３４】
また、本考案の超音波洗浄槽は、それ自体に専用水槽がついているので、医療機関、実験室、営業場所に特に適用でき、小型である場合、家庭の洗面器やシンクにおいてそれらの本来の機能と両立して使用出来る。
【符号の説明】
【００３５】
１  超音波洗浄装置
２  接続手段
２１  第１の端部
２２  フランジ
２３  第２の端部
２３１  第１の排水孔
３  外管体
３１  第２の排水孔
３２  第３の排水孔
３５  雌ねじ
４  超音波発振手段
４１  ケース
４１２  案内溝
４１３  雄ねじ
４２  作動スイッチ
４３  電源手段
６  キャップ
７１  第３の制限突起
７２  第１の制限突起
７３  第２の制限突起
８  水槽
８１  底部
８２  排水口
８３  設置突起
８４  フェンス
８５  雄ねじ
９  水槽
９１  底部
９２  排水口
【図１】
0003157154.tif 000003
【図２】
0003157154.tif 000004
【図３】
0003157154.tif 000005
【図４】
0003157154.tif 000006
【図５】
0003157154.tif 000007
【図６】
0003157154.tif 000008
【図７】
0003157154.tif 000009